(57)【特許請求の範囲】
【請求項１】
全ての相手コードレス子機に対して会議参加のための一斉呼び出しを行う任意の１つのコードレス子機と、それに参加応答した他のコードレス子機と、で定まるコードレス子機間で会議通話を可能とするコードレス電話機であって、
全子機は表示制御手段と表示器とを有し、一斉呼び出しを行ったコードレス子機と一斉呼び出しの相手となる他のコードレス子機とは、それぞれ自己の表示制御手段によって、一斉呼び出しを行ったコードレス子機番号と一斉呼び出しに参加応答した他のコードレス子機番号とを表示器に区別して表示させると共に、会議通話中に不参加となったコードレス子機があればこのコードレス子機番号の表示を取り消すようにしたことを特徴とするコードレス電話機。
【請求項２】
複数のコードレス子機と、複数の中継手段と、中継手段との間で信号の授受を行う制御装置とを有する会議通話の電話システムにおいて、
上記コードレス子機の中で会議通話のための一斉呼び出しを担当した子機は、会議通話相手となる全ての相手コードレス子機の呼び出しに対する一斉呼び出しの信号を送出し、
制御装置は、この一斉呼び出しの信号を中継手段を介して取り込み、一斉呼び出し子機コードと一斉呼び出し信号とを、中継手段に向けて送出し、
この会議通話相手となる全ての相手コードレス子機は、中継手段を介して上記一斉呼び出し子機コードと一斉呼び出し信号とを取り込み、一斉呼び出し子機の子機番号を表示し、自己が会議通話に参加するときにはその旨を示す参加応答を中継手段を介して送出し、
制御装置は、中継手段を介して上記参加応答を取り込み、参加応答のあった子機を示すコードを中継手段に向けて送出し、
参加応答をした子機は、上記参加応答のあった子機を示すコードにより参加応答のあった子機の子機番号を上記一斉呼び出し子機番号と区別して表示し、上記会議通話中に不参加となった子機番号の表示を消去するようにしたことを特徴とする会議通話の電話システム。
【請求項３】
複数のコードレス子機間で会議通話を行う会議通話の電話システムに使用するコードレス子機であって、
表示器と会議通話のための一斉び呼出し機能と会議通話のための一斉呼び出しに応答する応答機能とを有し、
一斉呼び出しを要求するときには、上記一斉呼び出し機能により、一斉呼び出し信号を制御装置へ送出し、制御装置から送られてくる会議通話相手として応答した子機番号と自己の子機番号とを区別して上記表示器に表示し、
一斉呼び出しに応答するときには、上記応答機能により一斉呼び出しに応答し、制御装置から送られてくる一斉呼び出しをした子機番号と会議通話相手として応答した子機番号とを区別して上記表示器に表示し、
会議通話中に他子機の不参加となった状態を制御装置から受信したときには、当該子機の子機番号の表示を上記表示器から消去することを特徴としたコードレス子機。
【発明の詳細な説明】
【０００１】
【産業上の利用分野】
本発明は、同時通話を行うシステム形コードレス電話機に関する。
【０００２】
【従来の技術】
図９にシステム形コードレス電話機の構成図を示す。システム形コードレス電話機とは、中継装置１台と子機１台を１組として構成される単独形コードレス電話機（通常のコードレス電話機）を制御装置１０を用いることにより複数組接続可能にするものである。中継装置のみを増設し通話エリアを拡大し、子機の通話範囲を広げたものである。図では、１〜ｍゾーンの例を示してある。ここでゾーンとは、ｎ個の子機と中継装置を用いて通話を行える範囲である。図９の中継装置で（ａ−ｂ）Ｂとあるのはａゾーンのｂ番目の中継装置を意味する。図１０は、１ゾーンの例を示す図である。この１ゾーンには、８台のコードレス子機１Ａ〜８Ａが備えられ、この８台の子機１Ａ〜８Ａは、対応する中継装置１Ｂ〜８Ｂを通じて制御装置１０に接続されている。８台は一例である。子機１Ａ〜８Ａと中継装置１Ｂ〜８Ｂは、互いに無線を通じて転送を行う。
【０００３】
さて、子機１Ａ〜８Ａの相互間で、２者内線通話を行うには、指定のコードをダイヤル（又はプッシュ）することにより、通話を行う。３者以上の同時通話は、子機１Ａ〜８Ａの中の任意の子機が一斉呼出しの操作を行う。これを対応する中継装置が受けて、制御装置１０に一斉呼出しの信号を送る。制御装置１０で一斉呼出しの信号を受け取ると残りの全ての７台の子機に一斉呼出しの信号が、それぞれの対応する中継装置を介して送られる。これによって、残りの７台の子機は一斉呼出しが行われる。子機において一斉呼出しに応えると、一斉呼出しを行った子機と一斉呼出しに応えた他の子機間で同時通話（会議通話）が行われる。一斉呼出しに応えない子機は一斉呼出し、会議通話が終了するまで呼出し音がなり続ける。
【０００４】
会議通話は、一斉呼出しを行った子機が終話するまで行なわれ、それ以外のすべての子機は会議通話の間、何度でも離脱及び途中参加が可能である。但し、一度離脱すると呼出し音はならない。
【０００５】
【発明が解決しようとする課題】
従来例は、会議通話の参加の確認は、受話機からの相手の音声によるものだけであった。このやり方だと、確認時間がかかるだけでなく、途中参加者や離脱者の確認が面倒になる。
【０００６】
本発明の目的は、呼出し子機の番号及び会議通話の参加している子機番号の表示を可能にするシステム形コードレス電話機を提供するものである。
【０００７】
【課題を解決するための手段】
本発明は、全ての相手コードレス子機に対して会議参加のための一斉呼び出しを行う任意の１つのコードレス子機と、それに参加応答した他のコードレス子機と、で定まるコードレス子機間で会議通話を可能とするコードレス電話機であって、
全子機は表示制御手段と表示器とを有し、一斉呼び出しを行ったコードレス子機と一斉呼び出しの相手となる他のコードレス子機とは、それぞれ自己の表示制御手段によって、一斉呼び出しを行ったコードレス子機番号と一斉呼び出しに参加応答した他のコードレス子機番号とを表示器に区別して表示させると共に、会議通話中に不参加となったコードレス子機があればこのコードレス子機番号の表示を取り消すようにしたことを特徴とするコードレス電話機を開示する。
【０００８】
更に本発明は、複数のコードレス子機と、複数の中継手段と、中継手段との間で信号の授受を行う制御装置とを有する会議通話の電話システムにおいて、
上記コードレス子機の中で会議通話のための一斉呼び出しを担当した子機は、会議通話相手となる全ての相手コードレス子機の呼び出しに対する一斉呼び出しの信号を送出し、
制御装置は、この一斉呼び出しの信号を中継手段を介して取り込み、一斉呼び出し子機コードと一斉呼び出し信号とを、中継手段に向けて送出し、
この会議通話相手となる全ての相手コードレス子機は、中継手段を介して上記一斉呼び出し子機コードと一斉呼び出し信号とを取り込み、一斉呼び出し子機の子機番号を表示し、自己が会議通話に参加するときにはその旨を示す参加応答を中継手段を介して送出し、
制御装置は、中継手段を介して上記参加応答を取り込み、参加応答のあった子機を示すコードを中継手段に向けて送出し、
参加応答をした子機は、上記参加応答のあった子機を示すコードにより参加応答のあった子機の子機番号を上記一斉呼び出し子機番号と区別して表示し、上記会議通話中に不参加となった子機番号の表示を消去するようにしたことを特徴とする会議通話の電話システムを開示する。
【０００９】
更に本発明は、複数のコードレス子機間で会議通話を行う会議通話の電話システムに使用するコードレス子機であって、
表示器と会議通話のための一斉び呼出し機能と会議通話のための一斉呼び出しに応答する応答機能とを有し、
一斉呼び出しを要求するときには、上記一斉呼び出し機能により、一斉呼び出し信号を制御装置へ送出し、制御装置から送られてくる会議通話相手として応答した子機番号と自己の子機番号とを区別して上記表示器に表示し、
一斉呼び出しに応答するときには、上記応答機能により一斉呼び出しに応答し、制御装置から送られてくる一斉呼び出しをした子機番号と会議通話相手として応答した子機番号とを区別して上記表示器に表示し、
会議通話中に他子機の不参加となった状態を制御装置から受信したときには、当該子機の子機番号の表示を上記表示器から消去することを特徴としたコードレス子機を開示する。
【００１０】
【実施例】
図２は、制御装置１０で２者同時通話又は３者以上の同時通話時に、制御装置１０で発生する表示データフォーマットを示す。表示データは、識別符号と付加符号とより成り、識別符号は従来通りであり新しい構成は、付加符号を設けた点にある。ここで識別符号とは中継装置から子機または子機から中継装置を呼出場合に他の子機、中継装置と区別する呼出符号のことである。
【００１１】
図３は、付加符号のデータフォーマットを示す。上位８ビットが、８台の子機番号を示すコードであり、最上位位置のＭＳＢが子機１Ａ、……、８ビット位置が子機８Ａを示す。表示必要時には、その表示対象となる子機１Ａ〜８Ａ（会議通話参加子機のこと）の対応ビットが“１”となる。不参加子機は“０”のままである。下位４ビットが一斉呼出しを行った子機番号を、２進法で指示した部分である。従って、図３によれば、一斉呼出しをかけた子機は、子機１Ａであり、会議通話に応じた子機は、子機１Ａ（一斉呼出し自身を行った子機）、２Ａ、４Ａ、７Ａの４台であることがわかる。
【００１２】
図４は、子局１Ａ〜８Ａのそれぞれに付加した表示器の表示例を示す。表示器は、図４の付加符号を受信して、１０進表示形式で子機番号を表示する。図では、１〜８が１０進表示されている。更に、一斉呼出し子局自身をはっきり理解させるために、一斉呼出し子局自身は点滅させて他の子局と区別する。図４では、子局１Ａが一斉呼出し子局として点滅している例を示している。
【００１３】
図５〜図７は本実施例の具体的な動作例を示す。先ず、子機１Ａが一斉呼出しを要求したとすると、、これを中継装置１Ｂから受けた制御装置１０は、図５（ａ）のフォーマットを作成する。このフォーマットによれば、子局１Ａが一斉呼出しを行った局であり（下位４ビット参照）、且つ子局１Ａが通話子局として認定されたことがわかる(上位８ビット)。図５（ａ）のフォーマットの信号は、全子局１Ａ〜８Ａに送られ、その結果、子機１Ａ〜８Ａに付属した表示器に図５（ｂ）の如き表示（子局１Ａが一斉呼出し子局である旨の表示）を行う。
【００１４】
この一斉呼出しを受けて、子機２Ａ、４Ａ、７Ａが応答したとすると、これを中継装置から受けた制御装置１０は、図５（ｃ）の如きフォーマットを作成する。これを受信した子局１Ａ〜８Ａは、図５（ｄ）の如く表示器上に表示する。
更に時間が進み子機６Ａが通話に参加したとすると、中継装置を介して制御装置はこれを知り、図６（ａ）の如きフォーマットを形成する。このフォーマットの符号は、中継装置を介して子機１Ａ〜８Ａに送られ、表示器には図６（ｂ）の如き表示を行う。
【００１５】
更に時間が進み、子機２Ａ、７Ａが通話をやめて不参加になったとすると、中継装置を介して制御装置１０は、図６（ｃ）の如きフォーマット信号を作成し、これを受けて各表示器は、図６（ｄ）の表示を行う。
【００１６】
同時通話（会議通話）が終了すると、表示内容は、なくなる。かくして、表示器をみていれば、一斉呼出し子機、応答した子機、不参加の子機を即座に知ることができる。
【００１７】
図７は子機間の内線通話に本実施例の表示器を利用した例である。子機３Ａから子機５Ａに内線電話をかける場合を想定している。この場合、子機３Ａからの内線電話の通話要求を受けて制御装置１０は、図７（ａ）の如きフォーマットの信号を作成する。このフォーマットでは、下位４ビットは使わず、上位８ビットの該当位置に、内線通話の発呼子機番号を示す“１”をセットする。図では、３Ａを示す３ビット目が“１”となる。これを受けた子機５Ａは、図７（ｂ）に示す如き、子局３を１０進表示し、内線発呼子機を表示する。尚、発呼子機３Ａの他に受信子機５Ａを、子機３Ａ側に表示させるようにしてもよい。
【００１８】
図１は、子機と中継装置と制御装置との処理フローの分担処理例を示す。子機側では、先ず、一斉呼出し時に識別符号を、一斉呼出し子機から発生する。これを無線で受信した中継装置は、これを確認し、アンサーバックをその一斉呼出し子機に返す。アンサーバックを確認した子機は、呼出し又は状態符号、識別符号を作成し、これを中継装置に送る。中継装置は、受信して呼出し又は状態信号を制御装置１０に送出する。ここで、状態符号とは、子機が中継装置と接続されている場での子機の状態（例えば「呼出し中」）を示す信号を云う。
【００１９】
制御装置１０は、これを受けて、各子局の状態をラッチし、付加符号（図３）を作成して中継装置へ送る。中継装置は、付加符号を確認し、識別符号と共に全子機へ送る。子機側では、これを確認し、表示器に付加符号に従った表示を行う。この最初の表示は、図５（ａ）に相当する。
【００２０】
次いで通話に入り、通話中の子機参加、不参加の様子が中継装置にそれぞれ送られ、制御装置の付加符号の作成、及びその表示が通話中のダイナミックな状態を、次々に表示器に表示することになる。これらの表示推移は図５（ｃ）〜図６（ｄ）に示した。
【００２１】
図８は、子機及び中継装置及び制御装置の処理主体をそれぞれコンピュータで実現させる場合の機能図を示す。子機１２（１Ａ〜８Ａのそれぞれを示す）、中継装置（１Ｂ〜８Ｂのそれぞれを示す）１１、制御装置１０は、それぞれ、処理機能部ａー１、各種符号判断部ａー２、及び付加符号記憶部ｂを持つ。更にインターフェース部ｃを持つ。一方、子機１２には表示器ｄを持ち、この表示器ｄには前述の如き表示を行う。処理機能ａー１、各種信号判断部ａー２の動作は図１より明らかであろう。
【００２２】
【発明の効果】
本発明によれば、呼出し子機番号、会議通話の参加している子機番号を、子機に付属した表示器に表示させている。これによって、表示器の内容をみて関連子機番号を視覚により知ることができる。
【図面の簡単な説明】
【図１】本発明の処理フローの実施例図である。
【図２】本発明の符号フォーマット例図である。
【図３】本発明の符号フォーマットの符号信号のフォーマット例図である。
【図４】本発明の表示器の表示例図である。
【図５】本発明の符号フォーマット及び表示の推移を示す図である。
【図６】本発明の符号フォーマット及び表示の推移を示す図である。
【図７】本発明の内線通話での符号フォーマット及び表示例図である。
【図８】本発明のコンピュータ処理における処理機能を示した構成図である。
【図９】従来のシステム形コードレス電話機の全体構成を示す図である。
【図１０】図９の１ゾーンの構成を示す構成例図である。
【符号の説明】
１Ａ〜８Ａ、１２  子機
１Ｂ〜８Ｂ、１１  中継装置
１０  制御装置
【図１】
0003543826.tif 000002
【図２】
0003543826.tif 000003
【図３】
0003543826.tif 000004
【図４】
0003543826.tif 000005
【図５】
0003543826.tif 000006
【図６】
0003543826.tif 000007
【図７】
0003543826.tif 000008
【図８】
0003543826.tif 000009
【図９】
0003543826.tif 000010
【図１０】
0003543826.tif 000011